【事件の表示】
　特願２０１１−　９８０４６「電子機器」拒絶査定不服審判事件〔平成２４年１１月２２日出願公開、特開２０１２−２３０５２６、請求項の数（９）〕について、次のとおり審決する。
【結　論】
　原査定を取り消す。
　本願の発明は、特許すべきものとする。
【理　由】
第１　手続の経緯　
　本願は、平成２３年４月２６日の出願であって、平成２７年１月８日付けで拒絶理由が通知され、平成２７年３月１６日付けで手続補正がされ、平成２７年７月７日付けで拒絶査定（以下、「原査定」という）がされ、これに対し、平成２７年１０月１４日に拒絶査定不服審判が請求され、その後、当審において平成２８年５月９日付けで拒絶理由（以下、「当審拒絶理由」という）が通知され、平成２８年７月８日付けで手続補正がされたものである。
　
第２　本願発明
　本願の請求項１−９に係る発明は、平成２８年７月８日付けの手続補正で補正された特許請求の範囲の請求項１−９に記載された事項により特定されるものと認められるところ、本願の請求項１に係る発明（以下、「本願発明」という。）は以下のとおりである。なお、末尾の「を具えるすることを特徴とする電子機器」は、「を具えることを特徴とする電子機器」の誤記であることは明らかであるので以下のように認定した。
　
「表示画面を有する表示部と、
　表示画面上に設けられ、タッチ入力を受け付けるタッチパネルと、
　前記表示部に、複数のコンテンツが表示されているとき、前記タッチパネルがタッチ入力を受け付けた経路上に表示されている複数のコンテンツを選択状態とし、前記タッチパネルがタッチ入力を受け付けた経路上で前記選択状態となったコンテンツが再度選択された場合、後で選択された重複コンテンツを無効とし、先に選択されたコンテンツの選択状態を維持する選択部と、
　前記選択部で選択された複数のコンテンツの順序を記憶する記憶部と、
　前記記憶部に記憶された複数のコンテンツに対して、前記順序に従って所定の動作を実行する制御部と、
　を具える
　ことを特徴とする電子機器。」
　
第３　原査定の理由について
１．原査定の理由の概要
　本願発明は、その出願前日本国内又は外国において頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　
　　　　　　　　　　　　　　　　　　　記　　　
１．特開２００４−１５２１７１号公報
２．特開２００９−３５７９号公報
　
　引用文献１（特に特許請求の範囲、第３８，７１−７３及び図９など）には、表示部に複数のオブジェクト（コンテンツまたは画像）が表示されているとき、接触した軌跡（経路）上に表示されている複数のオブジェクトを選択状態とし、当該軌跡上で選択状態となったコンテンツが再度選択された場合、選択状態を解除することが記載されている。
　引用文献２（特に、段落００６２−００６９及び図６、７参照。）には、選択済のサムネイル画像をなぞっても、選択済が維持されることが記載されている。
　したがって、引用文献１記載の発明において、引用文献２記載の発明を適用し、先に選択されたコンテンツの選択状態を変更することに代えて、後で選択された重複コンテンツを無効とし、先に選択されたコンテンツの選択状態を維持するように構成することは、当業者が容易に想到し得たことである。
　
２．原査定の理由の判断
（１）刊行物の記載事項
　原査定の拒絶の理由で引用された特開２００４−１５２１７１号公報（以下、「刊行物１」という）には、図面とともに次の事項が記載されている。なお、下線部は当審により付与したものである。
　
「【０００１】
【発明の属する技術分野】
保存した画像データに基づいて、
表示部にオブジェクトを表示するとともに該オブジェクトのうち選択されたものの画像を再生表示する情報処理装置、該情報処理装置におけるオブジェクト選択方法、オブジェクト選択プログラム、及び記録媒体に関する。
　
「【００１０】
本発明の目的は、オブジェクトの選択における操作性の向上した情報処理装置を提供することにある。」
　
「【００３５】
スタイラスペン２０２は表示部１０４に表示されたインタフェースから入力操作をする際に使用するものであり、表示部１０４上でのタップ操作によって入力処理を行うことができる。
　
「【００３７】
次に、
表示部１０４に表示される画面
【００３８】
図３は、サムネイル画像の一覧表示の画面を示す図である。・・・」
　
「【００６６】
一方、（ｂ）に示すように
表示対象となるオブジェクトが複数である場合、例えば３行×３列の９つである場合には、
　
「【００７１】
図９は、操作モードにおける、ペンの軌跡に沿ったオブジェクトの選択である「軌跡選択」の例を示す図である。
【００７２】
最上位左のオブジェクトが選択オブジェクトであり、最上位右のオブジェクトが選択オブジェクトかつアクティブオブジェクトである状態Ａから、ペン２０２を中央最上位のオブジェクトでペンダウンして、接触させたままで中位左のオブジェクト→さらに１行下の最下位中央のオブジェクト→中位右のオブジェクトと反時計回りにペンを移動した状態がＢであり、ペン２０２の軌跡が通った複数のオブジェクトが選択される。このとき、ペンアップ位置である中位右のオブジェクトがアクティブ状態になる。なお、操作前の選択状態は全て解除される。
【００７３】
状態Ｂでペンアップせずに再び最上位中央のオブジェクトにペンが戻ると、状態Ｃの様に最上位中央のオブジェクトの選択状態が解除される。この様に一度選択したオブジェクトをなぞり直すことで選択を解除することができる。
　
「【０１１４】
以上のようにして、
再生表示や、編集、加工、スライドショウの対象となるオブジェクトの選択を容易に行うことができる。
　
　そうすると、刊行物１には、特に、下線部を参照すると、次の発明（以下、「引用発明１」という。）が記載されていると認められる。
　
［引用発明１］
「表示される画面を有する表示部１０４と、
　表示部１０４上では、スタイラスペン２０２を使用したタップ操作によって入力処理を行うことができ、
　表示対象となるオブジェクトが複数で３行×３列の９つである場合に、ペンの軌跡に沿ったオブジェクトの選択である「軌跡選択」では、最上位左のオブジェクトが選択オブジェクトであり、最上位右のオブジェクトが選択オブジェクトかつアクティブオブジェクトである状態Ａから、ペン２０２を中央最上位のオブジェクトでペンダウンして、接触させたままで中位左のオブジェクト→さらに１行下の最下位中央のオブジェクト→中位右のオブジェクトと反時計回りにペンを移動した状態がＢであり、ペン２０２の軌跡が通った複数のオブジェクトが選択され、このとき、ペンアップ位置である中位右のオブジェクトがアクティブ状態になり、操作前の選択状態は全て解除され、状態Ｂでペンアップせずに再び最上位中央のオブジェクトにペンが戻ると、状態Ｃの様に最上位中央のオブジェクトの選択状態が解除され、一度選択したオブジェクトをなぞり直すことで選択を解除することができ、
　選択したオブジェクトは再生表示や、編集、加工、スライドショウの対象となる、
　情報処理装置。」
　
（２）対比
　本願発明と引用発明１とを対比すると、両者の一致点、相違点は次のとおりである。
　
［一致点］
「表示画面を有する表示部と、
　表示画面上に設けられ、タッチ入力を受け付けるタッチパネルと、
　前記表示部に、複数のコンテンツが表示されているとき、前記タッチパネルがタッチ入力を受け付けた経路上に表示されている複数のコンテンツを選択状態とする選択部と、
　前記選択部で選択された複数のコンテンツを記憶する記憶部と、
　前記記憶部に記憶された複数のコンテンツに対して、所定の動作を実行する制御部と、
　を具える
　ことを特徴とする電子機器。」である点。
　
［相違点］
相違点１
　「選択部」が、本願発明では、「前記タッチパネルがタッチ入力を受け付けた経路上で前記選択状態となったコンテンツが再度選択された場合、後で選択された重複コンテンツを無効とし、先に選択されたコンテンツの選択状態を維持する」ものであるのに対し、引用発明１では、一度選択したオブジェクトをなぞり直すことで選択を解除することができるものであり、「前記タッチパネルがタッチ入力を受け付けた経路上で前記選択状態となったコンテンツが再度選択された場合、後で選択された重複コンテンツを無効とし、先に選択されたコンテンツの選択状態を維持する」ものではない点。
　
相違点２
　「記憶部」が、本願発明では、「前記選択部で選択された複数のコンテンツの順序を記憶する」ものであるのに対し、引用発明１では、「前記選択部で選択された複数のコンテンツの順序を記憶する」ものではない点。
　
相違点３
　「制御部」が、本願発明では、「前記記憶部に記憶された複数のコンテンツに対して、前記順序に従って所定の動作を実行する」ものであるのに対し、引用発明１では、「前記記憶部に記憶された複数のコンテンツに対して、所定の動作を実行する」とはいえるものの、「前記順序に従って所定の動作を実行する」ものではない点。
　
（３）判断
　上記相違点１について検討する。
　原査定の拒絶の理由で引用された特開２００９−３５７９号公報（以下、「刊行物２」という）には、図６、図７とともに、次のように記載されている（下線部は、当審にて付与した）。
「【００６３】
　図６は、
操作者が指をタッチパネル１７に触れた状態で、サムネイル画像をなぞって、画像ファイルを選択する方法
【００６４】
　メモリカードスロット２２に、画像ファイルの記憶されたメモリカード２２ａが挿入されている場合に、操作キー１５の画像ファイル印刷ボタン１５ａが押下されると、メモリカード２２ａに記憶される画像ファイルのサムネイル画像が、ＬＣＤ１６に表示される。なお、サムネイルリストメモリ１３ｂには、図７（ａ）に示すサムネイルリストが記憶されているものとして説明する。このサムネイルリストの中の各表示位置番号「Ａ１〜Ｃ６」に対応する画像ファイルのサムネイル画像が、それぞれＬＣＤ１６の各表示位置番号「Ａ１〜Ｃ６」に表示される。
図７（ａ）に示すように、サムネイルリストの中の表示位置番号「Ａ２、Ａ３」に対応する画像ファイルの選択状態フラグが、「選択済」と設定され、その他は「未選択」と設定されている。従って、図６（ａ）に示すように、ＬＣＤ１６に表示されるサムネイル画像は、表示位置番号「Ａ２、Ａ３」のみ選択済表示とされ、その他は、未選択表示とされている。
【００６５】
　ここで、図６（ｂ）に示すように、操作者が指で、表示位置番号「Ａ１」のサムネイル画像に触れた場合、その表示位置番号「Ａ１」が、仮選択開始位置メモリ１３ｄと、仮選択リストメモリ１３ｃとに記憶される。従って、図６（ｂ）に示すように、仮選択リストメモリ１３ｃに記憶された表示位置番号番号「Ａ１」に対応する画像ファイルのサムネイル画像は、ＬＣＤ１６において、仮選択表示とされる。
【００６６】
　そして、
図６（ｃ）に示すように、操作者が指でタッチパネル１７を触れた状態で、その触れている指の位置を画面に向かって右側に移動させ、表示位置番号「Ａ１」から表示位置番号「Ａ５」までのサムネイル画像にそれぞれ触れる
【００６７】
　従って、図６（ｃ）に示すように、仮選択リストメモリ１３ｃに記憶された各表示位置番号「Ａ１〜Ａ５」に対応する画像ファイルのサムネイル画像は、ＬＣＤ１６において、仮選択表示とされる。操作者が指でタッチパネル１７に触れている間、操作者が触れたサムネイル画像が、ＬＣＤ１６において仮選択表示されるので、操作者は、どの画像ファイルを選択しているかを簡単に視認することができる。
【００６８】
　ここで、
操作者が、指をタッチパネル１７から離すと、
図７（ｂ）に示すように、サムネイルリストにおいて、
各表示位置番号「Ａ１〜Ａ５」の行の選択状態フラグが全て、「選択済」と設定される。従って、図６（ｄ）に示すように、選択状態フラグが「選択済」と設定された画像ファイルのサムネイル画像が、ＬＣＤ１６において、選択済表示とされる。
【００６９】
　上述したように、本実施形態では、操作者が、指でタッチパネル１７に表示されるサムネイル画像を複数なぞるという一連の簡単な操作（１回の動作）で、なぞった全てのサムネイル画像に対応する画像ファイルを選択することができる。そして、最初に触れたサムネイル画像に対応する画像ファイルの選択状態フラグが「未選択」であれば、指でなぞったサムネイル画像に対応する画像ファイルの選択状態フラグが全て「選択済」とされるので、操作者にとって操作が簡単であり分かり易い。」
　
　下線部を参照すると、刊行物２には、選択済のサムネイル画像をなぞっても、選択済が維持されることが記載されているといえる。しかしながら、引用発明１は、「一度選択したオブジェクトをなぞり直すことで選択を解除する」ものであり、引用発明１の「オブジェクトの選択を解除する」ことと、刊行物２の「オブジェクトの選択が維持される」こととは、オブジェクトの選択において相反するものであるから、引用発明１において、選択を解除することに代えて、刊行物２に記載された選択が維持される技術を適用することには動機付けがなく、当業者にとって容易であるとはいえない。
　したがって、引用発明１において、相違点１を克服し、本願発明の相違点１に係る構成とすることが当業者が容易に想到し得たとすることはできない。
　よって、本願発明は、その他の相違点２、３について検討するまでもなく、引用発明１に基づいて当業者が容易に発明をすることができたものとはいえない。
　本願の請求項２−７に係る発明は、本願発明をさらに限定したものであり、請求項８、９に係る発明は、電子機器である本願発明を、単に、プログラムあるいは方法として表現したものであるので、本願発明と同様に、引用発明に基づいて当業者が容易に発明をすることができたとはいえない。
　よって、原査定の理由によっては、本願を拒絶することはできない。
　
第４　当審拒絶理由について
１．当審拒絶理由の概要
１）本件出願の請求項１、２に係る発明は、その出願前日本国内または外国において頒布された下記の刊行物に記載された発明又は電気通信回線を通じて公衆に利用可能となった発明であるから、特許法第２９条第１項第３号に該当し、特許を受けることができない。 
 　 
 　　　　　　　　　　　　　　　　　記 
刊行物１：特開２００９−３５７９号公報  
  
・請求項１  
　刊行物１の【図５】に記載された「仮選択処理」では、操作者の指がタッチパネル１７に触れられている場合は（Ｓ２４：Ｎｏ）、タッチパネル１７に触れられている操作者の指の位置と同一であるＬＣＤ１６の表示位置に表示されるサムネイル画像の表示位置番号を特定し（Ｓ２５）、次に、タッチパネル１７に触れられている操作者の指の位置が、別のサムネイル画像の表示位置に移ったかを判定し（Ｓ２６）、タッチパネル１７に触れられている操作者の指の位置が、別のサムネイル画像の表示位置に移った場合は（Ｓ２６：Ｙｅｓ）、Ｓ２５の処理で特定された表示位置番号が、仮選択リストメモリ１３ｃメモリに記憶される仮選択リストの中に含まれているかを判定し（Ｓ２７）、Ｓ２７の処理において、Ｓ２５の処理で特定された表示位置番号が、仮選択リストメモリ１３ｃメモリに記憶される仮選択リストの中に含まれている場合は（Ｓ２７：Ｙｅｓ）、Ｓ２３の処理に戻り、上述したＳ２３〜Ｓ２７の各処理を繰り返す一方、Ｓ２５の処理で特定された表示位置番号が、仮選択リストメモリ１３ｃメモリに記憶される仮選択リストの中に含まれていない場合は（Ｓ２７：Ｎｏ）、仮選択リストメモリ１３ｃに、Ｓ２５の処理で特定された表示位置番号を追加し（Ｓ２８）、Ｓ２３の処理に戻り、上述したＳ２３〜Ｓ２８の各処理を繰り返す処理を行う。 
　このＳ２７における「仮選択リストの中に含まれている場合」は、請求項１に係る発明の「前記タッチパネルがタッチ入力を受け付けた経路上で前記選択状態となったコンテンツが再度選択された場合」に相当し、その場合に、刊行物１記載のものでは、仮選択リストメモリ１３ｃに表示位置番号を追加する処理（Ｓ２８）を行わずに仮選択リストメモリはそのままになるのであるから、このことは、請求項１に係る発明の「後で選択された重複コンテンツを無効とし、先に選択されたコンテンツの選択状態を維持する」に相当するものである。 
　したがって、刊行物１に記載された【図５】の「仮選択処理」を行うＭＦＰは、請求項１に係る発明と同じ処理を行う電子機器といえるから、請求項１に係る発明は、刊行物１に記載された発明である。 
 　 
・請求項２ 
　刊行物１の「仮選択リストメモリ」には、仮選択された表示位置番号が１つづつ選択した順に追加されていくから、この「仮選択リストメモリ」は、請求項２に係る発明の「選択部で選択された順序を記憶する記憶部」に相当する。 
　したがって、請求項２に係る発明は、刊行物１に記載された発明である。 
 　 
２）本件出願の請求項１、２に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
 　 
 　　　　　　　　　　　　　　　　　記 
刊行物１：特開２００９−３５７９号公報  
  
・請求項１  
　刊行物１（特に、【図６】を参照されたい）には、「図６（ａ）のように２つのサムネイル画像が選択済とされている状態で、図６（ｂ）（ｃ）のように指でタッチパネル上の複数のサムネイル画像をドラッグすることで、図６（ｄ）のように、ドラッグした複数のサムネイル画像を選択済と設定する画像選択装置」の発明（以下、「刊行物１発明」という）が記載されている。 
　本願請求項１に係る発明と刊行物１発明とを対比する。 
　刊行物１発明では、図６（ａ）で選択済（請求項１の「選択状態」に相当する）とされている２つのサムネイル画像（Ａ２、Ａ３）は、図６（ｂ）（ｃ）のドラッグにより再度選択され、図６（ｄ）のように結果的には選択済（請求項１の「選択状態」に相当する）の設定が維持されるといえる。 
　したがって、両者の一致点、相違点は次のとおりである。 
 　 
（一致点）  
　表示画面を有する表示部と、  
　表示画面上に設けられ、タッチ入力を受け付けるタッチパネルと、  
　前記表示部に、複数のコンテンツが表示されているとき、前記タッチパネルがタッチ入力を受け付けた経路上に表示されている複数のコンテンツを選択状態とする選択部と、を具え、 
　前記選択部は更に、前記タッチパネルがタッチ入力を受け付けた経路上で選択状態となったコンテンツが再度選択された場合、選択されたコンテンツの選択状態を維持することを特徴とする電子機器。 
  
（相違点）  
　請求項１に係る発明は、「選択部は更に、前記タッチパネルがタッチ入力を受け付けた経路上で前記選択状態となったコンテンツが再度選択された場合、後で選択された重複コンテンツを無効とし、先に選択されたコンテンツの選択状態を維持する」ものであるのに対し、刊行物１発明は、図６（ａ）の選択済の２つのサムネイル画像は、「前記」選択状態となったコンテンツ、すなわち、「タッチパネルがタッチ入力を受け付けた経路上に表示されている複数のコンテンツを選択状態とする選択部」により選択状態とされたコンテンツかどうかは明らかではなく、また、「選択されたコンテンツの選択状態を維持する」とはいえるものの、「後で選択された重複コンテンツを無効とし、先に選択されたコンテンツの選択状態を維持する」ものではない点。 
　
　上記相違点について検討する。 
　刊行物１発明における、図６（ａ）の選択済の２つのサムネイル画像はどのようにして選択済とされたのかは明らかではないが、選択済とする方法として刊行物１発明では、図６（ｂ）〜（ｄ）のように指でタッチパネル上の複数のサムネイル画像をドラッグすることで選択済とする方法を採用しているのであるから、図６（ａ）の選択済の２つのサムネイル画像を選択済とする場合も同様の方法とすることは自然なことであり、当業者が容易に想到し得ることである。 
　また、「選択されたコンテンツの選択状態を維持する」（すなわち、結果として選択状態を変化させない）点では、請求項１に係る発明と刊行物１発明とは共通するものであり、選択状態を変化させないための方法として、選択状態をそのまま変えない（なにもしない）ことは、当業者が容易に想到し得ることである。 
　したがって、刊行物１発明において、図６（ａ）で選択済の２つのサムネイル画像（Ａ２、Ａ３）を、図６（ｄ）のように結果的に選択済が維持されるようにするために、選択状態をそのまま変えない（なにもしない）ことは、当業者が容易に想到し得ることである。 
　これらのことは、刊行物１発明において、「選択部は更に、前記タッチパネルがタッチ入力を受け付けた経路上で前記選択状態となったコンテンツが再度選択された場合、後で選択された重複コンテンツを無効とし、先に選択されたコンテンツの選択状態を維持する」ものとすることが当業者に容易であったことを意味している。 
　したがって、請求項１に係る発明は、刊行物１発明に基づいて当業者が容易に発明をすることができたものである。 
 　 
・請求項２ 
　刊行物１発明のサムネイル画像を選択する画像選択装置を、音楽ファイルが選択された順序でプレイリストを作成する周知の音楽プレーヤの選択装置として用いることは当業者が容易に想到し得ることである。 
　請求項２に係る発明は、刊行物１発明及び周知技術に基づいて当業者が容易に発明をすることができたものである。 
 　 
 
３）本件出願の請求項１、２に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　 
 　　　　　　　　　　　　　　　　　記 
刊行物１：特開２００９−３５７９号公報  
刊行物２：特開２００９−１０８１８号公報 
刊行物３：特開２０１０−２６７０７９号公報  
  
・請求項１ 
　刊行物３には、タッチパネルへの一筆書きの手書き入力軌跡によりオブジェクト（コンテンツ）を選択する情報処理装置において、軌跡が閉曲線でない場合に、軌跡の下に存在するオブジェクトを選択対象として選択済みステータスを付与する情報処理装置（以下、「刊行物３発明」という）が記載されている（図５のステップＳ５０４を参照されたい）。 
　請求項１に係る発明と刊行物３発明の一致点、相違点は次のとおりである。 
 　 
（一致点）  
　表示画面を有する表示部と、  
　表示画面上に設けられ、タッチ入力を受け付けるタッチパネルと、  
　前記表示部に、複数のコンテンツが表示されているとき、前記タッチパネルがタッチ入力を受け付けた経路上に表示されている複数のコンテンツを選択状態とする選択部と、を具えることを特徴とする電子機器。 
  
（相違点）  
　請求項１に係る発明は、「選択部は更に、前記タッチパネルがタッチ入力を受け付けた経路上で前記選択状態となったコンテンツが再度選択された場合、後で選択された重複コンテンツを無効とし、先に選択されたコンテンツの選択状態を維持する」ものであるのに対し、刊行物３発明は、そのようなものではない点。 
  
　上記相違点について検討する。 
 刊行物１には、上記１）で述べたような「仮選択処理」について記載されており、上述したように、この「仮選択処理」は、「タッチパネルがタッチ入力を受け付けた経路上で選択状態となったコンテンツが再度選択された場合、後で選択された重複コンテンツを無効とし、先に選択されたコンテンツの選択状態を維持する」ものであるといえいる。 
　刊行物３発明における、「選択部」における処理として、刊行物１に記載された「仮選択処理」を採用すること、すなわち、「選択部は更に、前記タッチパネルがタッチ入力を受け付けた経路上で前記選択状態となったコンテンツが再度選択された場合、後で選択された重複コンテンツを無効とし、先に選択されたコンテンツの選択状態を維持する」ものとすることは当業者が容易に想到し得ることである。 
　したがって、請求項１に係る発明は、刊行物３発明及び刊行物１に記載された技術に基づいて当業者が容易に発明をすることができたものである。 
 　 
・請求項２
　刊行物３発明のオブジェクト（コンテンツ）を選択する装置を、音楽ファイルが選択された順序でプレイリストを作成する周知の音楽プレーヤの選択装置として用いることは当業者が容易に想到し得ることである。 
　請求項２に係る発明は、刊行物３発明及び周知技術に基づいて当業者が容易に発明をすることができたものである。 
 　 
２．当審拒絶理由の判断
（１）当審拒絶理由１）について
ア．刊行物の記載事項
　当審による拒絶理由１）で引用された特開２００９−３５７９号公報（以下、「刊行物Ａ」という）には、図面とともに次の事項が記載されている。なお、下線部は当審により付与したものである。
　
「【００４８】
　ここで、図５を参照して、仮選択処理（Ｓ５）について説明する。図５は、仮選択処理（Ｓ５）を示すフローチャートである。この仮選択処理（Ｓ５）は、タッチパネル１７に触れられた操作者の指の位置から、サムネイルリストの中の選択状態フラグを変更する画像ファイルの表示位置番号、または、選択状態フラグを変更する画像ファイルの表示位置番号の範囲を決定するための処理である。この仮選択処理が実行されている間は、仮選択リストメモリ１３ｃに記憶されている各表示位置番号に対応する画像ファイルのサムネイル画像が、ＬＣＤ１６において仮選択表示とされる。
【００４９】
　
仮選択処理（Ｓ５）では、仮選択リストメモリ１３ｃを初期化し（Ｓ２１）、タッチパネル１７に触れられた操作者の指の位置と同一であるＬＣＤ１６の表示位置に表示されるサムネイル画像の表示位置番号を特定し、その特定された表示位置番号を、仮選択開始位置メモリ１３ｄと、仮選択リストメモリ１３ｃとに記憶する（Ｓ２２）。そして、ＬＣＤ１６において、仮選択リストメモリ１３ｃに記憶される表示位置番号に対応する画像ファイルのサムネイル画像のみ仮選択表示とする（Ｓ２３）。
【００５０】
　
タッチパネル１７に触れられている操作者の指が、タッチパネル１７から離されたかを判定し（Ｓ２４）、操作者の指が、タッチパネル１７から離された場合は（Ｓ２４：Ｙｅｓ）、この仮選択処理（Ｓ５）を終了し、図４のＳ６の処理に戻る。
【００５１】
　
一方、引き続き操作者の指が、タッチパネル１７に触れられている場合は（Ｓ２４：Ｎｏ）、タッチパネル１７に触れられている操作者の指の位置と同一であるＬＣＤ１６の表示位置に表示されるサムネイル画像の表示位置番号を特定する（Ｓ２５）。
【００５２】
　
次に、タッチパネル１７に触れられている操作者の指の位置が、別のサムネイル画像の表示位置に移ったかを判定し（Ｓ２６）、タッチパネル１７に触れられている操作者の指の位置が、別のサムネイル画像の表示位置に移った場合は（Ｓ２６：Ｙｅｓ）、Ｓ２５の処理で特定された表示位置番号が、仮選択リストメモリ１３ｃメモリに記憶される仮選択リストの中に含まれているかを判定する（Ｓ２７）。一方、タッチパネル１７に触れられている操作者の指の位置が、別のサムネイル画像の表示位置に移っていない場合は（Ｓ２６：Ｎｏ）、Ｓ２３の処理に戻り、上述したＳ２３〜Ｓ２６の各処理を繰り返す。
【００５３】
　
Ｓ２７の処理において、Ｓ２５の処理で特定された表示位置番号が、仮選択リストメモリ１３ｃメモリに記憶される仮選択リストの中に含まれている場合は（Ｓ２７：Ｙｅｓ）、Ｓ２３の処理に戻り、上述したＳ２３〜Ｓ２７の各処理を繰り返す。一方、Ｓ２５の処理で特定された表示位置番号が、仮選択リストメモリ１３ｃメモリに記憶される仮選択リストの中に含まれていない場合は（Ｓ２７：Ｎｏ）、仮選択リストメモリ１３ｃに、Ｓ２５の処理で特定された表示位置番号を追加し（Ｓ２８）、Ｓ２３の処理に戻り、上述したＳ２３〜Ｓ２８の各処理を繰り返す。
【００５４】
　この図５のフローチャートの仮選択処理（Ｓ５）により、タッチパネル１７に触れられた操作者の指の位置から、サムネイルリストの中の選択状態フラグを変更する画像ファイルの表示位置番号、または、選択状態フラグを変更する画像ファイルの表示位置番号の範囲を指定することができ、また、仮選択処理（Ｓ５）が実行されている間に、仮選択リストメモリ１３ｃに記憶される表示位置番号に対応する画像ファイルのサムネイル画像を、ＬＣＤ１６において仮選択表示することができる。
この仮選択処理（Ｓ５）の終了後は、図４のＳ６の処理に戻る。
【００５５】
　
図４のＳ６の処理では、仮選択開始位置メモリ１３ｄに記憶される表示位置番号に対応する画像ファイルの選択状態フラグが、「未選択」であるかを判定し（Ｓ６）、仮選択開始位置メモリ１３ｄに記憶される表示位置番号に対応する画像ファイルの選択状態フラグが、「未選択」である場合は（Ｓ６：Ｙｅｓ）、サムネイルリストメモリ１３ｂに記憶されるサムネイルリストにおいて、仮選択リストメモリ１３ｃに記憶される各表示位置番号に対応する画像ファイルの選択状態フラグを全て、「選択済」に変更する（Ｓ７）。一方、仮選択開始位置メモリ１３ｄに記憶される表示位置番号に対応する画像ファイルの選択状態フラグが、「選択済」である場合は（Ｓ６：Ｎｏ）、サムネイルリストメモリ１３ｂに記憶されるサムネイルリストにおいて、仮選択リストメモリ１３ｃに記憶される各表示位置番号に対応する画像ファイルの選択状態フラグを全て、「未選択」に変更する（Ｓ８）。そして、Ｓ３の処理に戻り、上述したＳ３〜Ｓ８の各処理を繰り返す。
　
　そうすると、刊行物Ａには、特に、下線部を参照すると、次の発明（以下、「引用発明Ａ１」という。）が記載されていると認められる。
　
［引用発明Ａ１］
「仮選択処理（Ｓ５）では、仮選択リストメモリ１３ｃを初期化し（Ｓ２１）、タッチパネル１７に触れられた操作者の指の位置と同一であるＬＣＤ１６の表示位置に表示されるサムネイル画像の表示位置番号を特定し、その特定された表示位置番号を、仮選択開始位置メモリ１３ｄと、仮選択リストメモリ１３ｃとに記憶し（Ｓ２２）、そして、ＬＣＤ１６において、仮選択リストメモリ１３ｃに記憶される表示位置番号に対応する画像ファイルのサムネイル画像のみ仮選択表示とし（Ｓ２３）、タッチパネル１７に触れられている操作者の指が、タッチパネル１７から離されたかを判定し（Ｓ２４）、操作者の指が、タッチパネル１７から離された場合は（Ｓ２４：Ｙｅｓ）、この仮選択処理（Ｓ５）を終了し、図４のＳ６の処理に戻り、一方、引き続き操作者の指が、タッチパネル１７に触れられている場合は（Ｓ２４：Ｎｏ）、タッチパネル１７に触れられている操作者の指の位置と同一であるＬＣＤ１６の表示位置に表示されるサムネイル画像の表示位置番号を特定し（Ｓ２５）、次に、タッチパネル１７に触れられている操作者の指の位置が、別のサムネイル画像の表示位置に移ったかを判定し（Ｓ２６）、タッチパネル１７に触れられている操作者の指の位置が、別のサムネイル画像の表示位置に移った場合は（Ｓ２６：Ｙｅｓ）、Ｓ２５の処理で特定された表示位置番号が、仮選択リストメモリ１３ｃメモリに記憶される仮選択リストの中に含まれているかを判定し（Ｓ２７）、一方、タッチパネル１７に触れられている操作者の指の位置が、別のサムネイル画像の表示位置に移っていない場合は（Ｓ２６：Ｎｏ）、Ｓ２３の処理に戻り、上述したＳ２３〜Ｓ２６の各処理を繰り返し、Ｓ２７の処理において、Ｓ２５の処理で特定された表示位置番号が、仮選択リストメモリ１３ｃメモリに記憶される仮選択リストの中に含まれている場合は（Ｓ２７：Ｙｅｓ）、Ｓ２３の処理に戻り、上述したＳ２３〜Ｓ２７の各処理を繰りし、一方、Ｓ２５の処理で特定された表示位置番号が、仮選択リストメモリ１３ｃメモリに記憶される仮選択リストの中に含まれていない場合は（Ｓ２７：Ｎｏ）、仮選択リストメモリ１３ｃに、Ｓ２５の処理で特定された表示位置番号を追加し（Ｓ２８）、Ｓ２３の処理に戻り、上述したＳ２３〜Ｓ２８の各処理を繰り返し、この仮選択処理（Ｓ５）の終了後は、図４のＳ６の処理に戻り、図４のＳ６の処理では、仮選択開始位置メモリ１３ｄに記憶される表示位置番号に対応する画像ファイルの選択状態フラグが、「未選択」であるかを判定し（Ｓ６）、仮選択開始位置メモリ１３ｄに記憶される表示位置番号に対応する画像ファイルの選択状態フラグが、「未選択」である場合は（Ｓ６：Ｙｅｓ）、サムネイルリストメモリ１３ｂに記憶されるサムネイルリストにおいて、仮選択リストメモリ１３ｃに記憶される各表示位置番号に対応する画像ファイルの選択状態フラグを全て、「選択済」に変更し（Ｓ７）、一方、仮選択開始位置メモリ１３ｄに記憶される表示位置番号に対応する画像ファイルの選択状態フラグが、「選択済」である場合は（Ｓ６：Ｎｏ）、サムネイルリストメモリ１３ｂに記憶されるサムネイルリストにおいて、仮選択リストメモリ１３ｃに記憶される各表示位置番号に対応する画像ファイルの選択状態フラグを全て、「未選択」に変更し（Ｓ８）、そして、Ｓ３の処理に戻り、上述したＳ３〜Ｓ８の各処理を繰り返す画像処理装置。」
　
イ．対比・判断
　本願発明と引用発明Ａ１とを対比する。
　引用発明Ａ１の、仮選択リストメモリにサムネイル画像の表示位置番号が記憶された状態は、本願発明の「コンテンツの選択状態」に対応付けられる。
　また、引用発明Ａ１の、仮選択リストメモリは、前記表示位置番号が選択した順に記憶されるものであるから、本願発明の「前記選択部で選択された複数のコンテンツの順序を記憶する記憶部」に相当する。
　さらに、引用発明Ａ１は、仮選択開始位置メモリ１３ｄに記憶される表示位置番号に対応する画像ファイルの選択状態フラグを変更する処理を行うから、「前記記憶部に記憶された複数のコンテンツに対して、所定の動作を実行する制御部を具える」ものであるといえるが、この所定の動作の実行は、記憶部に記憶された順序に従って行われるものではない。
　したがって、両者の一致点、相違点は次のとおりである。
　
［一致点］
　表示画面を有する表示部と、
　表示画面上に設けられ、タッチ入力を受け付けるタッチパネルと、
　前記表示部に、複数のコンテンツが表示されているとき、前記タッチパネルがタッチ入力を受け付けた経路上に表示されている複数のコンテンツを選択状態とし、前記タッチパネルがタッチ入力を受け付けた経路上で前記選択状態となったコンテンツが再度選択された場合、後で選択された重複コンテンツを無効とし、先に選択されたコンテンツの選択状態を維持する選択部と、
　前記選択部で選択された複数のコンテンツの順序を記憶する記憶部と、
　前記記憶部に記憶された複数のコンテンツに対して、所定の動作を実行する制御部と、
　を具える
　ことを特徴とする電子機器。」
　
［相違点］
　「制御部」が、本願発明では、「前記記憶部に記憶された複数のコンテンツに対して、前記順序に従って所定の動作を実行する」ものであるのに対し、引用発明Ａ１では、「前記記憶部に記憶された複数のコンテンツに対して、所定の動作を実行する」とはいえるものの、「前記順序に従って所定の動作を実行する」ものではない点。
　
　よって、本願発明と引用発明Ａ１とは相違点を有し、該相違点は実質的な相違点ではないとはいえないから、本願発明は刊行物Ａに記載された発明であるとはいえなくなった。
　本願の請求項２−７に係る発明は、本願発明をさらに限定したものであり、請求項８、９に係る発明は、電子機器である本願発明を、単に、プログラムあるいは方法として表現したものであるので、本願発明と同様に、刊行物Ａに記載された発明であるとはいえなくなった。
　そうすると、もはや、当審で通知した拒絶理由１）によって本願を拒絶することはできない。
　
（２）当審拒絶理由２）について
ア．刊行物の記載事項
　当審による拒絶理由２）でも引用された上記刊行物Ａには、図面とともに次の事項が記載されている。なお、下線部は当審により付与したものである。
　
「【００４３】
  次に、図４を参照して、ＭＦＰ１のＣＰＵ１１により実行される印刷処理について説明する。図４は、ＭＦＰ１の印刷処理を示すフローチャートであり、メモリカード２２ａがメモリカードスロット２２に挿入されている場合に、操作者によって操作キー１５の画像ファイル印刷ボタン１５ａが押下されると実行される処理である。
【００４４】
　この印刷処理を実行することによって、操作者は、メモリカード２２ａに記憶される画像ファイルの中から、所望の画像ファイルを簡単な操作で選択して、選択した画像ファイルの画像をプリンタ２１により印刷用紙に印刷することができる。
【００４５】
　
印刷処理では、サムネイルリストメモリ１３ｂを初期化し（Ｓ１）、メモリカード２２ａに記憶される全ての画像ファイルを検索し、検索して見つかった画像ファイルに基づいて、サムネイルリストを作成し、サムネイルリストメモリ１３ｂに記憶する（Ｓ２）。なお、サムネイルリストが作成された時（初期状態）の各画像ファイルの選択状態フラグは、全て「未選択」に設定されている。
【００４６】
　
次に、サムネイルリストメモリ１３ｂに記憶されるサムネイルリストの中の各表示位置番号「Ａ１〜Ｃ６」に対応する画像ファイルのサムネイル画像を、それぞれＬＣＤ１６に表示し、各画像ファイルの選択状態フラグに応じて、サムネイル画像を選択済表示、または、未選択表示とする（Ｓ３）。
【００４７】
　
タッチパネル１７に触れられた操作者の指の位置が、ＬＣＤ１６に表示されるサムネイル画像の表示位置であるかを判定し（Ｓ４）、タッチパネル１７に触れられた操作者の指の位置が、ＬＣＤ１６に表示されるサムネイル画像の表示位置である場合は（Ｓ４：Ｙｅｓ）、仮選択処理（Ｓ５）を実行する。一方、タッチパネル１７に触れられた操作者の指の位置が、ＬＣＤ１６に表示されるサムネイル画像の表示位置でない場合は（Ｓ４：Ｎｏ）、Ｓ５〜Ｓ８の処理をスキップし、Ｓ９の処理に移行する。
【００４８】
　ここで、図５を参照して、仮選択処理（Ｓ５）について説明する。図５は、仮選択処理（Ｓ５）を示すフローチャートである。この仮選択処理（Ｓ５）は、タッチパネル１７に触れられた操作者の指の位置から、サムネイルリストの中の選択状態フラグを変更する画像ファイルの表示位置番号、または、選択状態フラグを変更する画像ファイルの表示位置番号の範囲を決定するための処理である。この仮選択処理が実行されている間は、仮選択リストメモリ１３ｃに記憶されている各表示位置番号に対応する画像ファイルのサムネイル画像が、ＬＣＤ１６において仮選択表示とされる。
【００４９】
　
仮選択処理（Ｓ５）では、仮選択リストメモリ１３ｃを初期化し（Ｓ２１）、タッチパネル１７に触れられた操作者の指の位置と同一であるＬＣＤ１６の表示位置に表示されるサムネイル画像の表示位置番号を特定し、その特定された表示位置番号を、仮選択開始位置メモリ１３ｄと、仮選択リストメモリ１３ｃとに記憶する（Ｓ２２）。そして、ＬＣＤ１６において、仮選択リストメモリ１３ｃに記憶される表示位置番号に対応する画像ファイルのサムネイル画像のみ仮選択表示とする（Ｓ２３）。
【００５０】
　
タッチパネル１７に触れられている操作者の指が、タッチパネル１７から離されたかを判定し（Ｓ２４）、操作者の指が、タッチパネル１７から離された場合は（Ｓ２４：Ｙｅｓ）、この仮選択処理（Ｓ５）を終了し、図４のＳ６の処理に戻る。
【００５１】
　
一方、引き続き操作者の指が、タッチパネル１７に触れられている場合は（Ｓ２４：Ｎｏ）、タッチパネル１７に触れられている操作者の指の位置と同一であるＬＣＤ１６の表示位置に表示されるサムネイル画像の表示位置番号を特定する（Ｓ２５）。
【００５２】
　
次に、タッチパネル１７に触れられている操作者の指の位置が、別のサムネイル画像の表示位置に移ったかを判定し（Ｓ２６）、タッチパネル１７に触れられている操作者の指の位置が、別のサムネイル画像の表示位置に移った場合は（Ｓ２６：Ｙｅｓ）、Ｓ２５の処理で特定された表示位置番号が、仮選択リストメモリ１３ｃメモリに記憶される仮選択リストの中に含まれているかを判定する（Ｓ２７）。一方、タッチパネル１７に触れられている操作者の指の位置が、別のサムネイル画像の表示位置に移っていない場合は（Ｓ２６：Ｎｏ）、Ｓ２３の処理に戻り、上述したＳ２３〜Ｓ２６の各処理を繰り返す。
【００５３】
　
Ｓ２７の処理において、Ｓ２５の処理で特定された表示位置番号が、仮選択リストメモリ１３ｃメモリに記憶される仮選択リストの中に含まれている場合は（Ｓ２７：Ｙｅｓ）、Ｓ２３の処理に戻り、上述したＳ２３〜Ｓ２７の各処理を繰り返す。一方、Ｓ２５の処理で特定された表示位置番号が、仮選択リストメモリ１３ｃメモリに記憶される仮選択リストの中に含まれていない場合は（Ｓ２７：Ｎｏ）、仮選択リストメモリ１３ｃに、Ｓ２５の処理で特定された表示位置番号を追加し（Ｓ２８）、Ｓ２３の処理に戻り、上述したＳ２３〜Ｓ２８の各処理を繰り返す。
【００５４】
　この図５のフローチャートの仮選択処理（Ｓ５）により、タッチパネル１７に触れられた操作者の指の位置から、サムネイルリストの中の選択状態フラグを変更する画像ファイルの表示位置番号、または、選択状態フラグを変更する画像ファイルの表示位置番号の範囲を指定することができ、また、仮選択処理（Ｓ５）が実行されている間に、仮選択リストメモリ１３ｃに記憶される表示位置番号に対応する画像ファイルのサムネイル画像を、ＬＣＤ１６において仮選択表示することができる。
この仮選択処理（Ｓ５）の終了後は、図４のＳ６の処理に戻る。
【００５５】
　
図４のＳ６の処理では、仮選択開始位置メモリ１３ｄに記憶される表示位置番号に対応する画像ファイルの選択状態フラグが、「未選択」であるかを判定し（Ｓ６）、仮選択開始位置メモリ１３ｄに記憶される表示位置番号に対応する画像ファイルの選択状態フラグが、「未選択」である場合は（Ｓ６：Ｙｅｓ）、サムネイルリストメモリ１３ｂに記憶されるサムネイルリストにおいて、仮選択リストメモリ１３ｃに記憶される各表示位置番号に対応する画像ファイルの選択状態フラグを全て、「選択済」に変更する（Ｓ７）。一方、仮選択開始位置メモリ１３ｄに記憶される表示位置番号に対応する画像ファイルの選択状態フラグが、「選択済」である場合は（Ｓ６：Ｎｏ）、サムネイルリストメモリ１３ｂに記憶されるサムネイルリストにおいて、仮選択リストメモリ１３ｃに記憶される各表示位置番号に対応する画像ファイルの選択状態フラグを全て、「未選択」に変更する（Ｓ８）。そして、Ｓ３の処理に戻り、上述したＳ３〜Ｓ８の各処理を繰り返す。
【００５６】
　なお、
Ｓ４の処理において、タッチパネル１７に触れられた操作者の指の位置が、ＬＣＤ１６に表示されるサムネイル画像の表示位置でない場合は（Ｓ４：Ｎｏ）、Ｓ５〜Ｓ８の処理をスキップし、Ｓ９の処理に移行し、操作キー１５のキャンセルボタン１５ｂが押下されたかを判定する（Ｓ９）。Ｓ９の処理において、操作キー１５のキャンセルボタン１５ｂが押下された場合は（Ｓ９：Ｙｅｓ）、この印刷処理を終了する。一方、操作キー１５のキャンセルボタン１５ｂが押下されていない場合は（Ｓ９：Ｎｏ）、操作キー１５の印刷開始ボタン１５ｃが押下されたかを判定する（Ｓ１０）。
【００５７】
　
Ｓ１０の処理において、操作キー１５の印刷開始ボタン１５ｃが押下された場合は（Ｓ１０：Ｙｅｓ）、サムネイルリストメモリ１３ｂに記憶されるサムネイルリストにおいて、選択状態フラグが「選択済」である画像ファイルを、それぞれメモリカード２２ａから読み取り、画像メモリ１３ａに記憶し、１つずつプリンタ２１によって印刷用紙に印刷して（Ｓ１１）、印刷処理を終了する。一方、操作キー１５の印刷開始ボタン１５ｃが押下されていない場合は（Ｓ１０：Ｎｏ）、Ｓ３の処理に戻り、上述したＳ３〜Ｓ１０の各処理を繰り返す。
【００５８】
　この図４のフローチャートの印刷処理により、操作者は、ＬＣＤ１６に表示されているサムネイル画像を指でなぞって離すという一連の簡単な操作で、なぞった全てのサムネイル画像に対応する画像ファイルを選択または選択解除することができる。　
【００５９】
  即ち、最初に触れたサムネイル画像に対応する画像ファイルの選択状態フラグが「未選択」であれば、指でなぞったサムネイル画像に対応する画像ファイルの選択状態フラグが全て「選択済」とされ、最初に触れたサムネイル画像に対応する画像ファイルの選択状態フラグが「選択済」であれば、指でなぞったサムネイル画像に対応する画像ファイルの選択状態フラグが全て「未選択」とされる。つまり、最初に触れたサムネイル画像に対応する画像ファイルの選択状態フラグの状態によって、指でなぞったサムネイル画像に対応する画像ファイルの選択状態フラグが決定されるので、操作者が、その複数の画像データを選択済とするか又は未選択とするかを決定する操作が不要となり、操作者にとって操作が簡単であり分かり易い。」　
　
　そうすると、刊行物Ａには、特に、下線部を参照すると、次の発明（以下、「引用発明Ａ２」という。）が記載されていると認められる。
　
［引用発明Ａ２］
「印刷処理では、サムネイルリストメモリ１３ｂを初期化し（Ｓ１）、メモリカード２２ａに記憶される全ての画像ファイルを検索し、検索して見つかった画像ファイルに基づいて、サムネイルリストを作成し、サムネイルリストメモリ１３ｂに記憶し（Ｓ２）、サムネイルリストが作成された時（初期状態）の各画像ファイルの選択状態フラグは、全て「未選択」に設定されており、次に、サムネイルリストメモリ１３ｂに記憶されるサムネイルリストの中の各表示位置番号「Ａ１〜Ｃ６」に対応する画像ファイルのサムネイル画像を、それぞれＬＣＤ１６に表示し、各画像ファイルの選択状態フラグに応じて、サムネイル画像を選択済表示、または、未選択表示とし（Ｓ３）、タッチパネル１７に触れられた操作者の指の位置が、ＬＣＤ１６に表示されるサムネイル画像の表示位置であるかを判定し（Ｓ４）、タッチパネル１７に触れられた操作者の指の位置が、ＬＣＤ１６に表示されるサムネイル画像の表示位置である場合は（Ｓ４：Ｙｅｓ）、仮選択処理（Ｓ５）を実行し、一方、タッチパネル１７に触れられた操作者の指の位置が、ＬＣＤ１６に表示されるサムネイル画像の表示位置でない場合は（Ｓ４：Ｎｏ）、Ｓ５〜Ｓ８の処理をスキップし、Ｓ９の処理に移行し、仮選択処理（Ｓ５）では、仮選択リストメモリ１３ｃを初期化し（Ｓ２１）、タッチパネル１７に触れられた操作者の指の位置と同一であるＬＣＤ１６の表示位置に表示されるサムネイル画像の表示位置番号を特定し、その特定された表示位置番号を、仮選択開始位置メモリ１３ｄと、仮選択リストメモリ１３ｃとに記憶し（Ｓ２２）、そして、ＬＣＤ１６において、仮選択リストメモリ１３ｃに記憶される表示位置番号に対応する画像ファイルのサムネイル画像のみ仮選択表示とし（Ｓ２３）、タッチパネル１７に触れられている操作者の指が、タッチパネル１７から離されたかを判定し（Ｓ２４）、操作者の指が、タッチパネル１７から離された場合は（Ｓ２４：Ｙｅｓ）、この仮選択処理（Ｓ５）を終了し、図４のＳ６の処理に戻り、一方、引き続き操作者の指が、タッチパネル１７に触れられている場合は（Ｓ２４：Ｎｏ）、タッチパネル１７に触れられている操作者の指の位置と同一であるＬＣＤ１６の表示位置に表示されるサムネイル画像の表示位置番号を特定し（Ｓ２５）、次に、タッチパネル１７に触れられている操作者の指の位置が、別のサムネイル画像の表示位置に移ったかを判定し（Ｓ２６）、タッチパネル１７に触れられている操作者の指の位置が、別のサムネイル画像の表示位置に移った場合は（Ｓ２６：Ｙｅｓ）、Ｓ２５の処理で特定された表示位置番号が、仮選択リストメモリ１３ｃメモリに記憶される仮選択リストの中に含まれているかを判定し（Ｓ２７）、一方、タッチパネル１７に触れられている操作者の指の位置が、別のサムネイル画像の表示位置に移っていない場合は（Ｓ２６：Ｎｏ）、Ｓ２３の処理に戻り、上述したＳ２３〜Ｓ２６の各処理を繰り返し、Ｓ２７の処理において、Ｓ２５の処理で特定された表示位置番号が、仮選択リストメモリ１３ｃメモリに記憶される仮選択リストの中に含まれている場合は（Ｓ２７：Ｙｅｓ）、Ｓ２３の処理に戻り、上述したＳ２３〜Ｓ２７の各処理を繰りし、一方、Ｓ２５の処理で特定された表示位置番号が、仮選択リストメモリ１３ｃメモリに記憶される仮選択リストの中に含まれていない場合は（Ｓ２７：Ｎｏ）、仮選択リストメモリ１３ｃに、Ｓ２５の処理で特定された表示位置番号を追加し（Ｓ２８）、Ｓ２３の処理に戻り、上述したＳ２３〜Ｓ２８の各処理を繰り返し、この仮選択処理（Ｓ５）の終了後は、図４のＳ６の処理に戻り、図４のＳ６の処理では、仮選択開始位置メモリ１３ｄに記憶される表示位置番号に対応する画像ファイルの選択状態フラグが、「未選択」であるかを判定し（Ｓ６）、仮選択開始位置メモリ１３ｄに記憶される表示位置番号に対応する画像ファイルの選択状態フラグが、「未選択」である場合は（Ｓ６：Ｙｅｓ）、サムネイルリストメモリ１３ｂに記憶されるサムネイルリストにおいて、仮選択リストメモリ１３ｃに記憶される各表示位置番号に対応する画像ファイルの選択状態フラグを全て、「選択済」に変更し（Ｓ７）、一方、仮選択開始位置メモリ１３ｄに記憶される表示位置番号に対応する画像ファイルの選択状態フラグが、「選択済」である場合は（Ｓ６：Ｎｏ）、サムネイルリストメモリ１３ｂに記憶されるサムネイルリストにおいて、仮選択リストメモリ１３ｃに記憶される各表示位置番号に対応する画像ファイルの選択状態フラグを全て、「未選択」に変更し（Ｓ８）、そして、Ｓ３の処理に戻り、上述したＳ３〜Ｓ８の各処理を繰り返し、Ｓ４の処理において、タッチパネル１７に触れられた操作者の指の位置が、ＬＣＤ１６に表示されるサムネイル画像の表示位置でない場合は（Ｓ４：Ｎｏ）、Ｓ５〜Ｓ８の処理をスキップし、Ｓ９の処理に移行し、操作キー１５のキャンセルボタン１５ｂが押下されたかを判定し（Ｓ９）、Ｓ９の処理において、操作キー１５のキャンセルボタン１５ｂが押下された場合は（Ｓ９：Ｙｅｓ）、この印刷処理を終了し、一方、操作キー１５のキャンセルボタン１５ｂが押下されていない場合は（Ｓ９：Ｎｏ）、操作キー１５の印刷開始ボタン１５ｃが押下されたかを判定し（Ｓ１０）、Ｓ１０の処理において、操作キー１５の印刷開始ボタン１５ｃが押下された場合は（Ｓ１０：Ｙｅｓ）、サムネイルリストメモリ１３ｂに記憶されるサムネイルリストにおいて、選択状態フラグが「選択済」である画像ファイルを、それぞれメモリカード２２ａから読み取り、画像メモリ１３ａに記憶し、１つずつプリンタ２１によって印刷用紙に印刷して（Ｓ１１）、印刷処理を終了し、一方、操作キー１５の印刷開始ボタン１５ｃが押下されていない場合は（Ｓ１０：Ｎｏ）、Ｓ３の処理に戻り、上述したＳ３〜Ｓ１０の各処理を繰り返す画像処理装置。」
　
イ．対比
　本願発明と引用発明Ａ２とを対比する。
　引用発明Ａ２における、サムネイルリストの選択状態フラグが「選択済」となっている状態（Ｓ７で「選択済」に変更されてから、Ｓ８で「未選択」に変更されていない状態）が、本願発明における、コンテンツの「選択状態」に相当する。
　引用発明Ａ２において、Ｓ３→Ｓ４→Ｓ５→Ｓ６→Ｓ７と処理が進むと、サムネイルリストメモリ１３ｂに記憶されるサムネイルリストの中の各表示位置番号「Ａ１〜Ｃ６」に対応する画像ファイルのサムネイル画像を、それぞれＬＣＤ１６に表示し（Ｓ３）、タッチパネル１７に触れられた操作者の指の位置と同一であるＬＣＤ１６の表示位置に表示されるサムネイル画像の表示位置番号を特定し（Ｓ２２）（Ｓ２５）、その特定された表示位置番号を、仮選択リストメモリ１３ｃに記憶し（Ｓ２２）（Ｓ２８）、サムネイルリストメモリ１３ｂに記憶されるサムネイルリストにおいて、仮選択リストメモリ１３ｃに記憶される各表示位置番号に対応する画像ファイルの選択状態フラグを全て、「選択済」に変更（Ｓ７）する。これは、本願発明の「表示部に、複数のコンテンツが表示されているとき、タッチパネルがタッチ入力を受け付けた経路上に表示されている複数のコンテンツを選択状態」とする「選択部」に相当する。
　引用発明Ａ２は、「サムネイルリストメモリ１３ｂに記憶されるサムネイルリストにおいて、選択状態フラグが「選択済」である画像ファイルを、それぞれメモリカード２２ａから読み取り、画像メモリ１３ａに記憶し、１つずつプリンタ２１によって印刷用紙に印刷」する処理を行う構成を有するものであるから、本願発明が、「前記選択部で選択された複数のコンテンツの順序を記憶する記憶部と、前記記憶部に記憶された複数のコンテンツに対して、前記順序に従って所定の動作を実行する制御部」を具えることとは、「前記選択部で選択された複数のコンテンツを記憶する記憶部と、前記記憶部に記憶された複数のコンテンツに対して、所定の動作を実行する制御部」を具えるといえる点で共通する。
　
　したがって、両者の一致点、相違点は次のとおりである。
　
［一致点］
　表示画面を有する表示部と、
　表示画面上に設けられ、タッチ入力を受け付けるタッチパネルと、
　前記表示部に、複数のコンテンツが表示されているとき、前記タッチパネルがタッチ入力を受け付けた経路上に表示されている複数のコンテンツを選択状態とする選択部と、
　前記選択部で選択された複数のコンテンツを記憶する記憶部と、
　前記記憶部に記憶された複数のコンテンツに対して、所定の動作を実行する制御部と、
　を具える
　ことを特徴とする電子機器。」
　
［相違点］
相違点１
　「選択部」が、本願発明では、「前記タッチパネルがタッチ入力を受け付けた経路上で前記選択状態となったコンテンツが再度選択された場合、後で選択された重複コンテンツを無効とし、先に選択されたコンテンツの選択状態を維持する」ものであるのに対し、引用発明Ａ２では、そのようなものではない点。
　
相違点２
　本願発明は、「前記選択部で選択された複数のコンテンツの順序を記憶する記憶部と、前記記憶部に記憶された複数のコンテンツに対して、前記順序に従って所定の動作を実行する制御部」とを具えるのに対し、引用発明Ａ２は、「前記選択部で選択された複数のコンテンツを記憶する記憶部と、前記記憶部に記憶された複数のコンテンツに対して、所定の動作を実行する制御部」とを具えるとはいえるものの、「前記選択部で選択された複数のコンテンツの順序を記憶する記憶部と、前記記憶部に記憶された複数のコンテンツに対して、前記順序に従って所定の動作を実行する制御部」を具えるものではない点。
　
ウ．判断
　上記相違点２について検討する。
　引用発明Ａ２は、「サムネイルリストメモリ１３ｂに記憶されるサムネイルリストにおいて、選択状態フラグが「選択済」である画像ファイルを、それぞれメモリカード２２ａから読み取り、画像メモリ１３ａに記憶し、１つずつプリンタ２１によって印刷用紙に印刷」する処理を行うもの、すなわち、サムネイルリストの順で印刷を行うものであり、画像ファイルの選択された順序を記憶し、記憶した順序に従って印刷等の所定の処理を行うことを示唆するものではない。
　一方、当審による拒絶理由通知書で述べたように、音楽ファイルが選択された順序でプレイリストを作成する音楽プレーヤーは周知のものである。
　しかしながら、上述したように、引用発明Ａ２は、画像ファイルの選択された順序を記憶し、記憶した順序に従って印刷等の所定の処理を行うものではないから、たとえ、音楽ファイルが選択された順序でプレイリストを作成する音楽プレーヤーが周知のものであったとしても、引用発明Ａ２の選択を行う装置を、選択された順序でプレイリストを作成する音楽プレーヤーの選択に用いることが当業者が容易に想到し得るとはいえない。
　他に、引用発明Ａ２において、「前記選択部で選択された複数のコンテンツの順序を記憶する記憶部と、前記記憶部に記憶された複数のコンテンツに対して、前記順序に従って所定の動作を実行する制御部」とを具えることが容易であったとする理由も見当たらない。
　したがって、本願発明は、相違点１について検討するまでもなく、引用発明Ａ２に基づいて当業者が容易に発明をすることができたものとはいえなくなった。
　本願の請求項２−７に係る発明は、本願発明をさらに限定したものであり、請求項８、９に係る発明は、電子機器である本願発明を、単に、プログラムあるいは方法として表現したものであるので、本願発明と同様に、引用発明Ａ２に基づいて当業者が容易に発明をすることができたものとはいえなくなった。
　そうすると、もはや、当審で通知した拒絶理由２）によって本願を拒絶することはできない。
　
（３）当審拒絶理由３）について
ア．刊行物の記載事項
　当審による拒絶理由３）で引用された特開２０１０−２６７０７９号公報（以下、「刊行物Ｂ」という）には、図面とともに次の事項が記載されている。なお、下線部は当審により付与したものである。
　
「【技術分野】
【０００１】
　
本発明は情報処理装置等に関し、特に手書き軌跡によるオブジェクト選択に関するものである。
【背景技術】
【０００２】
　近年、手書き入力によるUIは操作が直感的で分かり易いことや、オブジェクトに対して直接的に操作指示を行えることから徐々に普及してきている。また、別途入力機器を用意することなく指で操作可能なため、特にポータブル機器で普及してきている。このためポータブル機器に保存してある
音楽データや画像、動画、ドキュメントなどのコンテンツを画面上のオブジェクトとして表示し、手書き入力によって選択する
　
「【０００６】
　本発明は、かかる実情に鑑みてなされたものであり、一筆書きの手書き入力軌跡のみでいろいろなオブジェクト選択パターンを選べるようにすることを目的とする。」
　
「【００１１】
（第１の実施形態）
　本実施形態においては、手書き入力された軌跡が閉曲線であるかどうかによって、選択されるオブジェクトを決定するための実施形態を、図面を参照しながら説明する。
　図１は本実施形態における情報処理装置１００のハードウェア構成の一例を示すブロック図である。１０２はＣＰＵ（Central Processing Unit）であり、各種処理のための演算や論理判断などを行い、バス１０１に接続された各構成要素を制御する。
【００１２】
　この情報処理装置１００には、プログラムメモリとデータメモリを含むメモリが搭載されている。プログラムメモリには、フローチャートにより後述する各種処理手順を含むＣＰＵによる制御のためのプログラムを格納する。このメモリはＲＯＭ（Read-Only-Memory）１０３であってもよいし、外部記憶装置などからプログラムがロードされるＲＡＭ（Random Access Memory）１０４であってもよい。あるいは、これらの組合せで実現しても構わない。
【００１３】
　１０５は本実施形態に係るデータやプログラムを記憶しておくためのハードディスクなどの記憶装置である。また、本実施形態では、コンテンツを保持しておくためにも利用される。なお、コンテンツを保持しておく装置としては、外部接続やネットワークに接続されたコンテンツ保持装置を用いてもよい。また、記憶装置１０５と同様の役割を果たすものとして、外部記憶装置１０６を用いてもよい。ここで、外部記憶装置１０６は、例えばメディア（記録媒体）と、当該メディアへのアクセスを実現するための外部記憶ドライブとで実現することができる。このようなメディアとしては例えば、フレキシブルディスク（ＦＤ）、ＣＤ−ＲＯＭ、ＤＶＤ、ＵＳＢメモリ、ＭＯ、フラッシュメモリ等が知られている。
【００１４】
　１０７はユーザからの指示を入力するための入力装置である。ユーザは入力装置１０７を介して、当該情報処理装置１００に指示を行う。
入力装置１０７は例えば、キーボードやポインティングデバイス、タッチパネルなどにより実現することができる。本実施形態では、タッチパネルを利用した手書き入力により指示が行われる。
　１０８は当該情報処理装置１００の処理結果等を表示出力する表示手段としての出力装置である。
出力装置１０８は例えば、出力のための回路を含むＣＲＴ（Cathode-Ray-Tube）や液晶表示器などのディスプレイ装置により実現することができる。
【００１５】
　図２は、本実施形態における情報処理装置１００のソフトウェア構成の一例を示すブロック図である。
　
２０１はオブジェクト管理部であり、出力装置１０８によって画面表示するオブジェクトの情報を管理する。ここでオブジェクトの画面表示位置や、選択有無、オブジェクト配置規則などを管理する。
　２０２は画面形成部であり、オブジェクト管理部２０１の情報を基にオブジェクトを配置し、表示する画面を形成する。
　２０３は画面表示部であり、画面形成部により形成された画面内容を出力装置１０８によって画面表示する。
　
２０４は入力処理部であり、入力装置１０７により入力された手書き軌跡入力の情報や、キーボードからの入力情報、ポインティングデバイスからの入力を受付ける。
　２０５は手書き軌跡検出部であり、入力処理部１０７で受付けた手書き軌跡の座標や形状を検出する。検出された軌跡情報は画面形成部２０２に送り、画面上に表示するように指示しても良い。
　２０６は閉曲線判別部であり、手書き軌跡検出部２０５で検出した手書き軌跡の座標や形状を基に、当該軌跡が閉曲線となっているかを判別する。
【００１６】
　２０７はオブジェクト選択部であり、手書き軌跡検出部２０５の軌跡の座標と、閉曲線判別部２０６の判別結果と、オブジェクト管理部２０１のオブジェクト表示位置に基づいて、選択されるオブジェクトを決定する。選択対象となったオブジェクトについてはオブジェクト管理部２０１にて選択済みステータスが付与される。この場合、選択されたオブジェクトは、画面形成部２０２によりにより選択されたと分かるように通常のオブジェクトと見た目を変えて表示するとしても良い。見た目としては例えば、オブジェクトやオブジェクトを囲む枠の色を変えたり、大きさを変えたり、影を付けたり、マークを付けるなどの方法が考えられる。
【００１７】
　次に、手書き軌跡により閉曲線が入力された場合と、閉曲線でない軌跡が入力された場合のオブジェクト選択内容の違いについて、図３を参照して説明する。図３は、本実施形態におけるオブジェクト選択を行う様子の一例を表す概念図である。
　
図内の四角い枠はオブジェクトであり、本図では４行×５列に整列して並んでいる例を挙げている。
　３０１から３０４はユーザにより入力された手書き軌跡であり、手書き軌跡検出部２０５で検出された軌跡の座標を基に画面形成部２０２により画面上に軌跡を表示するようにした場合の表示例である。軌跡上の黒丸は軌跡の始点と終点である。ユーザは前記オブジェクトを選択するために、当該軌跡を入力した場合を想定している。本図では、入力された軌跡の例として(a)から(d)の４つのパターンについて説明する。
【００１８】
　図３(a)、図３(b)は、手書き軌跡３０１、手書き軌跡３０２のように軌跡が閉じられており、閉曲線を形成している場合の一例である。このように軌跡が閉曲線となっている場合は、当該軌跡により囲まれた範囲内に存在するオブジェクトを選択するようにする。本図の例では塗り潰されたオブジェクトが選択されたオブジェクトであることを示している。
【００１９】
　図３(c)、図３(d)は、手書き軌跡３０３、手書き軌跡３０４のように軌跡が閉じられてなく、閉曲線を形成していない場合の一例である。このように軌跡が閉曲線となっていない場合は、軌跡の下にあるオブジェクトを選択する。特に図３(c)の例では、図３(a)の軌跡と似たような軌跡が描かれているが、軌跡が閉じられていないため、中央のオブジェクトは選択対象にならない。
　このようにユーザのオブジェクトを囲んで選択したいという意思を軌跡が閉じられたことを以って認識し、軌跡の下のオブジェクトを選択するだけでなく、軌跡に囲まれた範囲内のオブジェクトも選択することができる。
【００２０】
　次に、オブジェクトの定義と選択例について、図４を参照して説明する。図４は、本実施形態におけるオブジェクト定義と選択の一例を表す概念図である。
　４０１から４０４は写真や動画、音楽データやドキュメントなどのコンテンツを表すアイコンやサムネイル（または実体の画像）であり、４０５から４０８はアイコンやサムネイルを配置するグリッド枠である。４０９は入力された軌跡である。
【００２１】
　例えば、オブジェクトの定義を４０１から４０４のようなアイコンやサムネイルとした場合は、４０９のような軌跡が描かれた場合、４０１と４０２のオブジェクト上に軌跡が掛かっていないため、４０１と４０２は選択されないことになる。
　別の例として、オブジェクトの定義をコンテンツが配置された４０５から４０８のようなグリッド枠とした場合は、４０９のような軌跡が描かれた場合、全てのオブジェクト上に軌跡が描かれているため、４０５から４０８が選択されることになる。
【００２２】
　次に、情報処理装置１００が実行するオブジェクト選択処理の詳細について、図５を参照して説明する。図５は本実施形態におけるオブジェクト選択処理の一例を示すフローチャートである。
　
図５において、ステップＳ５０１〜ステップＳ５０４は各ステップを表している。この各ステップの処理は、情報処理装置１００の入力装置１０７による手書き軌跡の入力に応じて、ＣＰＵ１０２の制御により実行される。
【００２３】
　
ステップＳ５０１では、図３(a)や図３(b)のような閉曲線となっているかを判別する処理を行う。
　
ステップＳ５０２では、ステップＳ５０１の処理結果が閉曲線になったかどうかによって分岐を行う処理である。閉曲線になったと判断された場合は、ステップＳ５０３へ進む（ステップＳ５０２にてＹｅｓ）。閉曲線になっていないと判断された場合は、ステップＳ５０４へ進む（ステップＳ５０２にてＮｏ）。
　
ステップＳ５０３では、閉曲線になった場合のオブジェクト選択処理であり、図３(a)や図３(b)のように閉曲線内に存在するオブジェクトを選択対象とする処理を行う。
　
ステップＳ５０４では、閉曲線でない場合のオブジェクト選択処理であり、図３(c)や図３(d)のように軌跡の下に存在するオブジェクトを選択対象とする処理を行う。
　ステップＳ５０３、ステップＳ５０４で選択対象となったオブジェクトは選択済みステータスが付与される。画面上には選択されたと分かるような表示を行っても良い。」
　
　そうすると、刊行物Ｂには、特に、下線部を参照すると、次の発明（以下、「引用発明Ｂ」という。）が記載されていると認められる。
　
［引用発明Ｂ］
「液晶表示器などのディスプレイ装置と、
　ディスプレイ装置上に設けられ、手書き入力により指示が行われるタッチパネルと、
　前記ディスプレイ装置に、例えば４行×５列に整列して並んでオブジェクトが表示され、該オブジェクトは、音楽データや画像、動画、ドキュメントなどのコンテンツを画面上のオブジェクトとして表示したものであり、前記タッチパネルへの手書き軌跡の入力を受け付け、それが閉曲線となっているかを判別する処理を行い、閉曲線になったと判断された場合は、閉曲線内に存在するオブジェクトを選択対象とする処理を行い、閉曲線になっていないと判断された場合は、軌跡の下に存在するオブジェクトを選択対象とする処理を行うＣＰＵ１０２と、
　オブジェクトの画面表示位置や、選択有無を管理するオブジェクト管理部２０１と、
　を備える
　情報処理装置。」
　
イ．対比
　本願発明と引用発明Ｂとを対比する。
　引用発明Ｂの「液晶表示器などのディスプレイ装置」、「手書き入力により指示が行われるタッチパネル」、「オブジェクト」は、それぞれ、本願発明の「表示画面を有する表示部」、「タッチ入力を受け付けるタッチパネル」、「コンテンツ」に相当する。
　引用発明Ｂが備えるＣＰＵ１０２が行う処理のうち、「前記ディスプレイ装置に、例えば４行×５列に整列して並んでオブジェクトが表示され」、「前記タッチパネルへの手書き軌跡の入力を受け付け」、「閉曲線になっていないと判断された場合は、軌跡の下に存在するオブジェクトを選択対象とする処理を行う」ことは、「前記表示部に、複数のコンテンツが表示されているとき、前記タッチパネルがタッチ入力を受け付けた経路上に表示されている複数のコンテンツを選択状態とする」ことといえるから、本願発明と引用発明Ｂとは、「前記表示部に、複数のコンテンツが表示されているとき、前記タッチパネルがタッチ入力を受け付けた経路上に表示されている複数のコンテンツを選択状態とする選択部」を備えるといえる点で共通する。
　引用発明Ｂが備える「オブジェクトの画面表示位置や、選択有無を管理するオブジェクト管理部２０１」は、本願発明の「前記選択部で選択された複数のコンテンツの順序を記憶する記憶部」とは、「前記選択部で選択された複数のコンテンツを記憶する記憶部」といえる点で共通する。
　
　したがって、両者の一致点、相違点は次のとおりである。
　
［一致点］
　表示画面を有する表示部と、
　表示画面上に設けられ、タッチ入力を受け付けるタッチパネルと、
　前記表示部に、複数のコンテンツが表示されているとき、前記タッチパネルがタッチ入力を受け付けた経路上に表示されている複数のコンテンツを選択状態とする選択部と、
　前記選択部で選択された複数のコンテンツを記憶する記憶部と、
　を具える
　ことを特徴とする電子機器。」
　
［相違点］
相違点１
　「前記表示部に、複数のコンテンツが表示されているとき、前記タッチパネルがタッチ入力を受け付けた経路上に表示されている複数のコンテンツを選択状態と」する「選択部」が、本願発明では、「前記表示部に、複数のコンテンツが表示されているとき、前記タッチパネルがタッチ入力を受け付けた経路上に表示されている複数のコンテンツを選択状態とし、前記タッチパネルがタッチ入力を受け付けた経路上で前記選択状態となったコンテンツが再度選択された場合、後で選択された重複コンテンツを無効とし、先に選択されたコンテンツの選択状態を維持する」ものであるのに対し、引用発明Ｂではそのようなものではない点。
　
相違点２
　本願発明は、「前記選択部で選択された複数のコンテンツの順序を記憶する記憶部と、前記記憶部に記憶された複数のコンテンツに対して、前記順序に従って所定の動作を実行する制御部」とを具えるものであるのに対し、引用発明Ｂは、「前記選択部で選択された複数のコンテンツを記憶する記憶部」を具えるとはいえるものの、「前記選択部で選択された複数のコンテンツの順序を記憶する記憶部と、前記記憶部に記憶された複数のコンテンツに対して、前記順序に従って所定の動作を実行する制御部」とを具えるものではない点。
　
ウ．判断
　上記相違点２について検討する。
　引用文献Ｂに記載された情報処理装置は、「一筆書きの手書き入力軌跡のみでいろいろなオブジェクト選択パターンを選べるようにすることを目的とする」（【０００６】）ものであり、引用発明Ｂは、タッチパネルへの手書き軌跡の入力が閉曲線となっているかに応じて、閉曲線内に存在するオブジェクト、又は、軌跡の下に存在するオブジェクトを選択対象とするものである。よって、軌跡の下に存在するオブジェクトを選択対象とする場合のみでなく、閉曲線内に存在するオブジェクトを選択対象とする場合も含まれている引用発明Ｂにおいて、オブジェクトの選択順序は特定されておらず、容易に特定し得るものではない。また、そのような順序を記憶することや記憶した順序に従って所定の動作を実行することは、引用文献Ｂに記載も示唆もされていない。
　当審による拒絶理由通知書で述べたように、音楽ファイルが選択された順序でプレイリストを作成する音楽プレーヤーは周知のものである。
　しかしながら、上述したように、引用発明Ｂは、オブジェクトの選択順序は特定されておらず、容易に特定し得るものではないものであるから、たとえ、音楽ファイルが選択された順序でプレイリストを作成する音楽プレーヤーが周知のものであったとしても、引用発明Ｂの選択を行う装置を、選択された順序でプレイリストを作成する音楽プレーヤーの選択に用いることが当業者が容易に想到し得るとはいえない。
　他に、引用発明Ｂにおいて、「前記選択部で選択された複数のコンテンツの順序を記憶する記憶部と、前記記憶部に記憶された複数のコンテンツに対して、前記順序に従って所定の動作を実行する制御部」とを具えることが容易であったとする理由も見当たらない。
　したがって、本願発明は、引用発明Ｂに基づいて当業者が容易に発明をすることができたものとはいえなくなった。
　本願の請求項２−７に係る発明は、本願発明をさらに限定したものであり、請求項８、９に係る発明は、電子機器である本願発明を、単に、プログラムあるいは方法として表現したものであるので、本願発明と同様に、引用発明Ｂに基づいて当業者が容易に発明をすることができたものとはいえなくなった。
　そうすると、もはや、当審で通知した拒絶理由３）によって本願を拒絶することはできない。
　
第５　むすび
　以上のとおり、原査定の理由によっては、本願を拒絶することはできない。
　また、他に本願を拒絶すべき理由を発見しない。
　よって、結論のとおり審決する。